【手続補正書】
【提出日】平成17年10月31日(2005.10.31)
【手続補正１】
【補正対象書類名】明細書
【補正対象項目名】発明の名称
【補正方法】変更
【補正の内容】
【発明の名称】インクジェット記録装置及びインクジェット記録装置の記録ヘッド制御方法
【手続補正２】
【補正対象書類名】明細書
【補正対象項目名】特許請求の範囲
【補正方法】変更
【補正の内容】
【特許請求の範囲】
【請求項１】インクを吐出して記録を行うインクジェット記録ヘッドによって記録媒体に記録を行うインクジェット記録装置であって、
温度に応じた出力信号を出力する温度検出素子と、
前記温度検出素子からの前記出力信号に基づいて温度情報を取得する温度情報取得手段と、
前記温度情報取得手段で取得した前記温度情報を記憶する不揮発性の記憶手段と、
前記温度情報取得手段による前記温度情報の取得の必要性の有無を示すフラグを設定するフラグ設定手段と、
電源が投入された後に前記フラグの状態を調べ、前記フラグの設定状態に応じて前記温度情報を取得するように前記温度情報取得手段を制御する制御手段と、を備えることを特徴とするインクジェット記録装置。
【請求項２】前記フラグ設定手段は、前記インクジェット記録装置が記録動作を行わない状態での経過時間が第１の時間となったときに前記温度情報の取得が必要なことを示す前記フラグを設定することを特徴とする請求項１に記載のインクジェット記録装置。
【請求項３】前記フラグ設定手段は、前記インクジェット記録装置が記録動作を行わない状態での経過時間が第１の時間となったときに前記温度情報の取得が必要なことを示す前記フラグを設定し、
前記制御手段は、前記インクジェット記録装置が記録動作を行わない状態での経過時間が前記第１の時間より長い第２の時間となったときに前記温度情報を取得するように前記温度情報取得手段を制御することを特徴とする請求項１に記載のインクジェット記録装置。
【請求項４】前記フラグ設定手段は、前記インクジェット記録ヘッドがキャッピングされている場合に、前記インクジェット記録装置が記録動作を行わない状態となったと判定することを特徴とする請求項２又は３に記載のインクジェット記録装置。
【請求項５】前記温度情報取得手段は、前記温度検出素子からの前記出力信号に基づいた演算によって環境温度を求めることを特徴とする請求項１から４のいずれか１項に記載のインクジェット記録装置。
【請求項６】前記温度情報取得手段は、前記演算に、前記温度検出素子からの前記出力信号に対する補正値を用いることを特徴とする請求項５に記載のインクジェット記録装置。
【請求項７】前記補正値は、前記温度検出素子からの前記出力信号のプロファイルから得られたものであることを特徴とする請求項６に記載のインクジェット記録装置。
【請求項８】前記制御手段は、前記記憶手段に前記温度情報が記憶されていないときに、前記温度情報を取得するように前記温度情報取得手段を制御することを特徴とする請求項１から７のいずれか１項に記載のインクジェット記録装置。
【請求項９】前記温度検出素子が、前記インクジェット記録装置本体に設けられていることを特徴とする請求項１から８のいずれか１項に記載のインクジェット記録装置。
【請求項１０】前記温度検出素子が、前記インクジェット記録ヘッドに設けられていることを特徴とする請求項１から８のいずれか１項に記載のインクジェット記録装置。
【請求項１１】前記温度検出素子が、サーミスタであることを特徴とする請求項１から１０のいずれか１項に記載のインクジェット記録装置。
【請求項１２】前記インクジェット記録ヘッドは、熱エネルギーを利用してインクを吐出するインクジェット記録ヘッドであって、インクに与える熱エネルギーを発生するための熱エネルギー変換体を備えていることを特徴とする請求項１から１１のいずれか１項に記載のインクジェット記録装置。
【請求項１３】温度に応じた出力信号を出力する温度検出素子を有し、インクを吐出して記録を行うインクジェット記録ヘッドによって記録媒体に記録を行うインクジェット記録装置の記録ヘッド制御方法であって、
前記温度検出素子からの前記出力信号に基づいて温度情報を取得する温度情報取得工程と、
前記温度情報取得工程で取得した前記温度情報を不揮発性の記憶手段に記憶する記憶工程と、
前記温度情報の取得の必要性の有無を示すフラグを設定するフラグ設定工程と、
電源が投入された後に、前記フラグの状態を調べ、前記フラグの設定状態に応じて前記温度情報を取得するように前記温度情報取得工程を制御する制御工程と、を備えることを特徴とするインクジェット記録装置の記録ヘッド制御方法。
【請求項１４】前記フラグ設定工程は、前記インクジェット記録装置が記録動作を行わない状態での経過時間が第１の時間となったときに前記温度情報の取得が必要なことを示す前記フラグを設定することを特徴とする請求項１３に記載のインクジェット記録装置の記録ヘッド制御方法。
【請求項１５】前記フラグ設定工程は、前記インクジェット記録装置が記録動作を行わない状態での経過時間が第１の時間となったときに前記温度情報の取得が必要なことを示すフラグを設定し、前記制御工程で、前記インクジェット記録装置が記録動作を行わない状態での経過時間が前記第１の時間より長い第２の時間となったときに前記温度情報を取得するように前記温度情報取得工程を制御することを特徴とする請求項１３に記載のインクジェット記録装置の記録ヘッド制御方法。
【請求項１６】前記フラグ設定工程は、前記インクジェット記録ヘッドがキャッピングされている場合に、前記インクジェット記録装置が記録動作を行わない状態となったと判定することを特徴とする請求項１４又は１５に記載のインクジェット記録装置の記録ヘッド制御方法。
【請求項１７】前記温度情報取得工程は、前記温度検出素子からの前記出力信号に基づいた演算によって環境温度を求めることを特徴とする請求項１３から１６のいずれか１項に記載のインクジェット記録装置の記録ヘッド制御方法。
【請求項１８】前記温度情報取得工程は、前記演算に、前記温度検出素子からの前記出力信号に対する補正値を用いることを特徴とする請求項１７に記載のインクジェット記録装置の記録ヘッド制御方法。
【請求項１９】前記補正値は、前記温度検出素子からの前記出力信号のプロファイルから得られたものであることを特徴とする請求項１８に記載のインクジェット記録装置の記録ヘッド制御方法。
【請求項２０】前記制御工程で、前記記憶手段に前記温度情報が記憶されていないときに、前記温度情報を取得するように前記温度情報取得工程を制御することを特徴とする請求項１３から１９のいずれか１項に記載のインクジェット記録装置の記録ヘッド制御方法。
【手続補正３】
【補正対象書類名】明細書
【補正対象項目名】０００１
【補正方法】変更
【補正の内容】
【０００１】
【発明の属する技術分野】
本発明はインクジェット記録装置およびインクジェット記録装置の記録ヘッド制御方法に関し、特に、温度に応じた出力信号を出力する温度検出素子を有し、インクを吐出して記録を行うインクジェット記録ヘッドによって記録媒体に記録を行うインクジェット記録装置の、インクジェット記録ヘッドの制御に用いる温度情報の取得に関するものである。
【手続補正４】
【補正対象書類名】明細書
【補正対象項目名】０００９
【補正方法】変更
【補正の内容】
【０００９】
【課題を解決するための手段】
上記目的を達成するために本発明の一態様としてのインクジェット記録装置は、インクを吐出して記録を行うインクジェット記録ヘッドによって記録媒体に記録を行うインクジェット記録装置であって、温度に応じた出力信号を出力する温度検出素子と、前記温度検出素子からの前記出力信号に基づいて温度情報を取得する温度情報取得手段と、前記温度情報取得手段で取得した前記温度情報を記憶する不揮発性の記憶手段と、前記温度情報取得手段による前記温度情報の取得の必要性の有無を示すフラグを設定するフラグ設定手段と、電源が投入された後に前記フラグの状態を調べ、前記フラグの設定状態に応じて前記温度情報を取得するように前記温度情報取得手段を制御する制御手段と、を備えている。
上記目的を達成するために本発明の他の態様としてのインクジェット記録装置の記録ヘッド制御方法は、温度に応じた出力信号を出力する温度検出素子を有し、インクを吐出して記録を行うインクジェット記録ヘッドによって記録媒体に記録を行うインクジェット記録装置の記録ヘッド制御方法であって、前記温度検出素子からの前記出力信号に基づいて温度情報を取得する温度情報取得工程と、前記温度情報取得工程で取得した前記温度情報を不揮発性の記憶手段に記憶する記憶工程と、前記温度情報の取得の必要性の有無を示すフラグを設定するフラグ設定工程と、電源が投入された後に前記フラグの状態を調べ、前記フラグの設定状態に応じて前記温度情報を取得するように前記温度情報取得工程を制御する制御工程と、を備えている。